(57)【要約】      （修正有）【課題】電気分解用の水を安定的に供給可能とし、使用時の利便性を向上させる機能水生成装置の提供。【解決手段】ベースユニット１に対して着脱可能な飲水カップ５と、飲水カップ５の底面の一部の高分子イオン交換樹脂膜６１並びにその上下に設けられた上側電極板６２及び下側電極板６３を備えた電解セル６０と、ベースユニット１の電解用水ＤＷを電解セル６０の下側に供給する様に貯留する貯水槽４０と、ベースユニット１に設けられ貯水槽４０に電解用水ＤＷを補給するタンクと、電源装置と、を備え、飲水カップ５内に浄水ＰＷを含んだ状態で、上側電極板及び下側電極板の間に直流電圧を印加して水の電気分解を行い、飲水カップ内に特定成分の溶存率を高めた機能水を生成させる機能水生成装置Ｍ１において、タンクの給水開口に弁体を装着し、ベースユニットに設けた給水制御ダイヤル（操作部）により開閉制御可能とする機能水生成装置Ｍ１。【選択図】図４
2018027525.tif 000002
【特許請求の範囲】
【請求項１】
ベースユニットに対して着脱可能な飲水カップと、
前記飲水カップの底面の一部をなす高分子イオン交換樹脂膜およびその上下両側に設けられた一対の電極を備えた電解セルと、
前記ベースユニットに設けられ電解用水を前記電解セルの下側に供給するように貯留する貯水槽と、
前記ベースユニットに設けられ前記貯水槽に前記電解用水を補給するタンクと、
前記一対の電極に接続された電源装置と、を備え、
前記飲水カップ内に浄水を含んだ状態で、前記一対の電極間に直流電圧を加えて水の電気分解を行うことにより、前記飲水カップ内に特定成分の溶存率を高めた機能水を生成させる機能水生成装置であって、
前記タンクは、下部の給水開口を除いて気密可能に形成され、前記給水開口を前記貯水槽内に配置することで、前記貯水槽内の水位が所定の水位よりも低下した時に前記給水開口から大気を自然流入させて前記貯水槽内を前記所定の水位に維持されるようになっており、
前記タンクと前記電解セルとの間において前記電解用水が流通する通水路を開放または閉止する弁体が設けられるとともに、前記弁体を開閉制御するための制御機構を備えている機能水生成装置。
【請求項２】
前記弁体は、遅延機能を有して前記通水路を閉止するように設けられている請求項１に記載の機能水生成装置。
【請求項３】
前記弁体は、前記ベースユニットに設けられた操作部を操作することによって開閉制御される請求項１または請求項２に記載の機能水生成装置。
【請求項４】
前記操作部を操作することによって、常態では前記通水路を閉止する前記弁体が前記通水路を開放して、前記電解用水の前記タンクから前記電解セルへの供給が可能とされる請求項３に記載の機能水生成装置。
【請求項５】
前記操作部を操作することによって、常態では前記通水路を開放する前記弁体が前記通水路を閉止して、前記電解用水の前記タンクから前記電解セルへの供給が停止される請求項３に記載の機能水生成装置。
【請求項６】
前記弁体は、前記タンクの前記給水開口を開放または閉止するように設けられている請求項１ないし請求項５の何れか一項に記載の機能水生成装置。
【請求項７】
前記弁体は電磁弁である請求項１ないし請求項３の何れか一項に記載の機能水生成装置。
【請求項８】
前記貯水槽内の水位を検出するセンサをさらに備え、
前記電磁弁は、前記センサが前記貯水槽内の水位が前記所定の水位に達したことを検出したときに、前記通水路を閉止して前記電解用水の前記タンクから前記電解セルへの供給が停止されるように制御され、前記センサが前記貯水槽内の水位が前記所定の水位よりも低下したことを検出したときに、前記通水路を開放して前記電解用水の前記タンクから前記電解セルへの供給を可能とするように制御される請求項７に記載の機能水生成装置。
【請求項９】
前記タンクの上部には、当該タンクへの電解用水の補充を行うための補充開口が設けられているとともに、前記補充開口を気密に封止する蓋が備えられている請求項１ないし請求項８の何れか一項に記載の機能水生成装置。
【発明の詳細な説明】
【技術分野】
【０００１】
本明細書によって開示される技術は、特定成分の溶存率を高めた機能水を生成するための機能水生成装置、特に水素溶存率を高めた水素水を生成するための水素水生成装置に関する。
【背景技術】
【０００２】
従来、水素の溶存率を高めた水素水を製造する方法として、水を電気分解して水素ガスを発生させ、これを水に溶存させる方法が知られている。
例えば下記特許文献１には、底部に電解セルが設けられた飲水カップと、飲水カップが着脱可能に据え置かれるベースユニット（タンクベース）と、電解セルに直流電流を供給する電源装置と、を備えた水素豊富水製造装置が開示されている。電解セルは、飲水カップの底面の一部を構成する高分子イオン交換樹脂膜と、この高分子イオン交換樹脂膜の上側（飲水カップの内側）に設けられた陰極と、高分子イオン交換樹脂膜の下側（飲水カップの外側）に設けられた陽極と、を有する。また、ベースユニットは貯水可能に形成され、飲水カップが据え置かれたときに電解セルの下面がベースユニット内の水に浸漬されるように設計されている。このような装置において、飲水カップ内に浄水を注いでベースユニットに据え置き、電源装置から電解セルに電流を供給すると、飲水カップ内の浄水とベースユニット内の水が電気分解され、陰極で発生した水素ガスが浄水中に溶解して、飲水カップ内に水素豊富水が製造される。
【先行技術文献】
【特許文献】
【０００３】
【特許文献１】特表２０１３−５２５６１２号公報
【０００４】
上記のような装置では、電気分解や自然蒸発によって貯水槽内の電解用水が消費されるが、電気分解効率の低下および電解セルの損傷を抑制するため、一対の電極の双方を湿潤状態に維持することが好ましく、特に露出し易い下側電極板に持続的に水を供給するための機構が重要となる。上記特許文献１に記載の装置では、ベースユニットの上方に水補給用のタンクを配し、このタンクの開口に設けた弁体にアームの一端を、ベースユニット内の水面に配置したフロートにアームの他端を、それぞれ連結させたフロート弁機構が備えられている。このような複雑な構造のフロート弁機構に代替し得る簡便で信頼性の高い機構として、本発明者らは鋭意検討の結果、気圧給水機構が有用であることを見出した。
【０００５】
気圧給水機構を備える機能水生成装置は、例えば、ベースユニットに対して着脱可能な飲水カップと、前記飲水カップの底面の一部をなす高分子イオン交換樹脂膜およびその上下両側に設けられた一対の電極を備えた電解セルと、前記ベースユニットに設けられ電解用水を前記電解セルの下側に供給するように貯留する貯水槽と、前記ベースユニットに取り付けられて前記貯水槽に前記電解用水を補給するタンクと、前記一対の電極に接続された電源装置と、を備え、前記タンクを、下部の給水開口を除いて気密に形成し、前記給水開口を前記貯水槽内に配置して、前記貯水槽内の水位が所定の水位よりも低下した時に前記給水開口から大気を自然流入させて前記貯水槽内を前記所定の水位に維持させるように構成することができる。
【０００６】
このような構成によれば、タンクから貯水槽に電解用水が供給されて給水開口が電解用水で閉塞されると、タンク内に気体が流入しなくなるために給水が停止される。そして、電気分解や自然蒸発によって電解用水の水位が低下し、給水開口から大気が自然流入可能になると、再び給水が開始される。このように、気圧と水圧とのバランスを利用して、給水開口からの大気の自然流入が開始・停止される所定の水位に、貯水槽内を自動的に維持できる。このような機構を、本明細書においては「気圧給水機構」と称する。
気圧給水機構によれば、貯水槽内の水位変動に従来のフロート弁機構よりも迅速に対応可能であり、より微妙な水位調整を行うことができる。また、極めて簡単な構成であるために、製造コストを削減し、また部品の欠陥・摩耗や調整の不具合を抑制して給水信頼性を高め、メンテナンス性や耐久性を向上させることができる。
【発明の概要】
【発明が解決しようとする課題】
【０００７】
しかしながら、上記のような気圧給水機構を備えた機能水生成装置では、気圧と水圧とのバランスが崩れるとタンク内の電解用水が貯水槽に給水されるため、このバランスを維持するために、タンク内を気密に保つ必要がある。よって、タンクをベースユニットに配した状態でタンクの上部を開放することができず、電解用水の補充等が困難となっていた。また、気圧給水機構では、貯水槽内の水位変動に迅速に対応して給水が行われるため、装置が振動を受け易い場所に設置される場合や、装置を移動する場合等には、本来は必要ではないにも関わらず貯水槽への給水が行われることがあり、電解用水が溢れて装置の運転が不安定となる虞があった。このように、使用時の利便性に課題が残っており、改良が希求されていた。
【０００８】
本明細書に開示する技術は、上記事情に基づいて完成されたものであり、水の電気分解によって機能水を生成する装置において、電極に電気分解用の水を安定的に供給可能としつつ、使用時の利便性を高めることを目的とする。
【課題を解決するための手段】
【０００９】
本明細書によって開示される機能水生成装置は、ベースユニットに対して着脱可能な飲水カップと、前記飲水カップの底面の一部をなす高分子イオン交換樹脂膜およびその上下両側に設けられた一対の電極を備えた電解セルと、前記ベースユニットに設けられ電解用水を前記電解セルの下側に供給するように貯留する貯水槽と、前記ベースユニットに設けられ前記貯水槽に前記電解用水を補給するタンクと、前記一対の電極に接続された電源装置と、を備え、前記飲水カップ内に浄水を含んだ状態で、前記一対の電極間に直流電圧を加えて水の電気分解を行うことにより、前記飲水カップ内に特定成分の溶存率を高めた機能水を生成させる機能水生成装置であって、前記タンクは、下部の給水開口を除いて気密可能に形成され、前記給水開口を前記貯水槽内に配置することで、前記貯水槽内の水位が所定の水位よりも低下した時に前記給水開口から大気を自然流入させて前記貯水槽内を前記所定の水位に維持されるようになっており、前記タンクと前記電解セルとの間において前記電解用水が流通する通水路、換言すれば、前記タンク内に保持された前記電解用水が前記電解セルに供給される過程で流通する通水路を、開放または閉止する弁体が設けられるとともに、前記弁体を開閉制御するための制御機構を備えている機能水生成装置である。
【００１０】
上記構成によれば、弁体により必要に応じて通水路を閉止することが可能となるため、気圧給水機構を備えた機能水生成装置において、使用時の利便性が向上する。例えば、装置を移動する際など、貯水槽の水位が変動しやすい状況下では、通水路を閉止しておくことで、貯水槽への電解用水の過剰給水を抑制することができる。また、弁体により通水路を閉止すれば、タンク内の気圧と水圧のバランスが崩れたとしても貯水槽内にタンク内の電解用水が溢れ出すことがなくなるため、タンク上部を大気開放することが可能となる。よって、タンクをベースユニットに配したままで、タンク上部を開放してタンクに電解用水を補充することができる。
【００１１】
本明細書によって開示される気圧給水機構を備えた機能水生成装置において、前記弁体は、遅延機能を有して前記通水路を閉止するように設けられていてもよい。
遅延機能を付与するものとしては、例えば、オイルダンパやギア付ロータリーダンパ、スプリングダンパを用いることができる。貯水槽内の水位が低下した後、通水路が開放されてから所定の水位まで電解用水が給水されるには、一定時間（数秒間）を要するが、上記構成によれば、遅延機能によりこのような給水時間が確保され、貯水槽内に十分な量の電解用水が給水されて貯水槽内が所定の水位に復元すると、大気圧と水圧との均衡によって給水が自動的に停止する。このような構成によれば、例えば後述の操作部を使用者が手動で操作して通水路を開放する場合でも、操作部をワンショット作動させるだけで、通水路を一定時間開放状態に保持して十分な給水を行うことができる。
【００１２】
また、本明細書によって開示される気圧給水機構を備えた機能水生成装置において、前記弁体は、前記ベースユニットに設けられた操作部を操作することによって開閉制御されてもよい。
【００１３】
前記機能水生成装置において、前記操作部を操作することによって、常態では前記通水路を閉止する前記弁体が前記通水路を開放して、前記電解用水の前記タンクから前記電解セルへの供給が可能とされてもよい。
ここで、「常態」とは、操作部による弁体の操作が行われておらず、装置の運転時間の大半において維持される装置の状態をいう。上記構成によれば、装置運転中は常態としてタンクから電解セルへの電解用水の給水が停止されるため、振動等による水位変動に基づく電解用水の過剰給水を抑制することができるとともに、装置の移動を比較的自由に行うことができる。そして、必要時には操作部を操作して適宜給水を行い、電解セルに電解用水を供給することができる。
【００１４】
或いは、前記機能水生成装置において、前記操作部を操作することによって、常態では前記通水路を開放する前記弁体が前記通水路を閉止して、前記電解用水の前記タンクから前記電解セルへの供給が停止されてもよい。
このような構成によれば、常態では電解セルに自動的に電解用水が供給され、電解セルを湿潤に保つことができる。そして、装置を移動する際には給水を停止して貯水槽への電解用水の過剰な給水等を抑制したり、タンクへの電解用水の補充を行う際には給水を停止した状態でタンク上部を開放し、タンクをベースユニットに取り付けたままで注水等を行ったりすることができる。
【００１５】
また、本明細書によって開示される気圧給水機構を備えた機能水生成装置において、前記弁体は、前記タンクの前記給水開口を開放または閉止するように設けられていてもよい。
このような構成によれば、タンク下部に形成された給水開口（通水路の一部）に弁体を設けることで、給水開口からタンク内への大気の流入を必要に応じて規制し、貯水槽への電解用水の給水を容易に許容もしくは停止することができる。また、例えばタンクをベースユニットと別体とした場合、給水開口を閉止した状態でタンクを脱着して、電解用水の補充やメンテナンスの作業を格段に容易に行うことが可能となる。
【００１６】
また、本明細書によって開示される気圧給水機構を備えた機能水生成装置において、前記弁体は電磁弁であってもよい。
このような構成によれば、通水路の開閉を簡単に制御することが可能となる。電磁弁は、遅延機能を有して通水路を閉止するように制御してもよい。また、電磁弁の制御は、自動で行われてもよいし、ベースユニットに設けた操作部を手動で操作することにより行われてもよい。もしくは、基本的に自動制御を行いながら、必要に応じて手動制御が行われる構成としてもよい。
【００１７】
弁体として電磁弁を備えた前記機能水生成装置において、前記貯水槽内の水位を検出するセンサをさらに備え、前記電磁弁は、前記センサが前記貯水槽内の水位が前記所定の水位に達したことを検出したときには、前記通水路を閉止して前記電解用水の前記タンクから前記電解セルへの供給が停止されるように制御され、前記センサが前記貯水槽内の水位が前記所定の水位よりも低下したことを検出したときには、前記通水路を開放して前記電解用水の前記タンクから前記電解セルへの供給を可能とするように制御されてもよい。
このような構成によれば、装置の安定性を保ちつつ、必要に応じて適時に貯水槽に電解用水を給水することができる。通水路が閉止された状態ではタンク上部を開放することが可能となるため、使用時の利便性が向上する。
【００１８】
また、前記タンクの上部には、当該タンクへの電解用水の補充を行うための補充開口が設けられているとともに、前記補充開口を気密に封止する蓋が備えられてもよい。
このような構成によれば、タンク上部に設けられた補充開口を通してタンクに電解用水を補充することが可能となる。よって、タンクをベースユニットと別体とした場合であっても、通常時はタンクを取り付けたままで電解用水の補充等を行い、メンテナンス等の必要時にのみタンクを脱着することが可能となる。或いは、タンクをベースユニットに組み付けた組付型の装置とすることも可能となる。
【発明の効果】
【００１９】
以上のように、本明細書によって開示される技術によれば、水の電気分解によって機能水を生成する装置において、電極に電気分解用の水を安定的に供給しつつ、使用時の利便性を高めることができる。
【図面の簡単な説明】
【００２０】
【図１】第一実施形態に係る機能水生成装置の平面図
【図２】機能水生成装置の正面図
【図３】図１のＡ−Ａ断面図
【図４】図１のＢ−Ｂ断面図
【図５】常態（止水機構が閉状態）にある機能水生成装置の部分切欠正面図
【図６】止水機構が開状態にある機能水生成装置の部分切欠正面図
【図７】常態（止水機構が開状態）にある、第二実施形態に係る機能水生成装置の部分切欠正面図
【図８】止水機構が閉状態にある機能水生成装置の部分切欠正面図
【図９】第三実施形態に係る機能水生成装置の平面図
【図１０】図９のＣ−Ｃ断面図
【図１１】常態（止水機構が閉状態）にある機能水生成装置の部分切欠正面図
【図１２】止水機構が開状態にある機能水生成装置の部分切欠正面図
【図１３】常態（止水機構が開状態）にある、第四実施形態に係る機能水生成装置の部分切欠正面図
【図１４】止水機構が閉状態にある機能水生成装置の部分切欠正面図
【図１５】第五実施形態に係る機能水生成装置の平面図
【図１６】図１５のＤ−Ｄ断面図
【図１７】第六実施形態に係る機能水生成装置の断面図
【発明を実施するための形態】
【００２１】
＜第一実施形態＞
第一実施形態に係る機能水生成装置Ｍ１について、図１から図６に基づいて説明する。図２から図６における上側が上であり、図２における紙面手前を前（正面）、紙面左側を左とする。また、複数の同一部材については、一部の部材のみに符号を付し、他の部材については符号を省略することがある。
【００２２】
図１および図２に示すように、機能水生成装置Ｍ１は、大まかには、飲水カップ５と、飲水カップ５が着脱自在に据え置かれるベースユニット１と、からなる。図３にも表されているように、ベースユニット１の左側部分には、電解用水ＤＷを保持するタンク２０が配されている。また、右側部分には、カップ据置部３０が形成されており、飲水カップ５を着脱可能に据え置くことができるようになっている。
【００２３】
図２に示すように、ベースユニット１の外面には、運転制御スイッチ１１や運転状態を表示する表示部１２が設けられ、ＤＣ電源として図示しないＡＣアダプタが接続される。また、左右方向の略中央部には後述する止水機構を開閉操作するための給水制御ダイヤル１３（操作部）が設けられている。
図１および図３等に示すように、ベースユニット１の下部には貯水槽４０が形成されている。貯水槽４０は、左側のタンク２０の下方に形成された受水槽部４１と、右側のカップ据置部３０の下部に形成された電解槽部４２とが、流路４３を介して連通されてなる。タンク２０内に保持された電解用水ＤＷは、後述する給水開口２１から流出して、受水槽部４１、流路４３、電解槽部４２からなる通水路を流通し、電解セル６０に供給される。
【００２４】
ベースユニット１右側のカップ据置部３０について説明する。
図３および図４等に表されているように、電解槽部４２の外周囲には、隔壁３１を境界として飲水カップ５の底部材５２の外周壁５６が嵌合される嵌合部３４が設けられており、この嵌合部３４の前側および後側に、嵌合部３４の外方に弾性変形可能な接触端子３２Ｔおよび接触端子３３Ｔが設けられている。接触端子３２Ｔ，３３Ｔは、電蝕を抑制するため嵌合部３４に対して１８０度反対側に配置されていることが好ましい。接触端子３２Ｔ，３３Ｔは、ベースユニット１に接続された図示しない電源制御部を介してＡＣアダプタと接続される。また、図４等に示すように、電解槽部４２内の底面中央部には、飲水カップ５の外底面の電解セル６０下面に対応する位置を取り囲んで環状に突出する補助壁３５が設けられている。
【００２５】
次に、飲水カップ５について説明する。
図４等に示すように、飲水カップ５は、側部材５１と、側部材５１の底面に水密に取り付けられる樹脂製の底部材５２と、を有する。側部材５１は、シリンダー状に形成された側壁５１Ｙと、側壁から連設された底壁５１Ｘとを備える。底壁５１Ｘの中央部には、上面視で略正方形をなすように下方に突出する突出部形成され、その下端面に開口５１Ｂが形成されている。一方、底部材５２において、側部材５１の開口５１Ｂに対応する中央部にも上面視で略正方形をなして下方に突出する突出部が形成され、その下端面に、略正方形状に開口する底面開口５２Ｂが設けられている。この底面開口５２Ｂ内に、上面視で略正方形をなす電解セル６０が組み込まれている。底部材５２は、電解セル６０の周縁部において後述する下側電極板６３を保持して下方に突出し、包囲壁５５を形成している。また、底部材５２の外周壁５６は、包囲壁５５よりも下方に延出するように形成されている。
【００２６】
電解セル６０について説明する。
図４に示すように、電解セル６０は、高分子イオン交換樹脂膜６１と、この上側に位置する上側電極板６２と、下側に位置する下側電極板６３と、を備える。上側電極板６２および下側電極板６３は何れも透水可能に形成されており、液不透過性の高分子イオン交換樹脂膜６１が底面開口５２Ｂを閉塞することによって、飲水カップ５の底面から漏水しないように形成される。
【００２７】
上側電極板６２および下側電極板６３には、簾状、網状、多孔状に形成された透水可能な炭素や白金等からなる電極板を用いることが好ましく、本実施形態では、両側の電極板に略正方形簾状のチタン製の基材にプラスチックメッキを施した電極板を使用している。なお、上側電極板６２および下側電極板６３の開口率は、３０％〜７０％であるものが好ましい。
下側電極板６３は、底面開口５２Ｂ内に配されるように、底部材５２にインサート成型される。底部材５２の突出部内底面には、下側電極板６３を囲むように凹部が形成されてパッキンが配設され、高分子イオン交換樹脂膜６１は、このパッキンに周縁部が当接する大きさに形成される。
上側電極板６２は、底部材５２の突出部内に嵌合可能な略正方形の板枠状に形成された樹脂製の電極保持部材６５にインサート成形されており、電極保持部材６５の下面側および上面側の上側電極板６２周囲にもパッキンが配設される。
下側電極板６３の下側電極端子６３Ｔ、および上側電極板６２の上側電極端子６２Ｔは、飲水カップ５をカップ据置部３０に据え置いた時に、前側および後側となる位置において、底部材５２の外周壁外面に沿って飲水カップ５の側壁から露出するように形成されている。
【００２８】
飲水カップ５は、底部材５２の上方に側部材５１を重ねて図示しない締結手段によって締結することにより、底部が水密となるように形成される。詳しくは、下側電極板６３を備えた底部材５２の突出部内にパッキンを配し、高分子イオン交換樹脂膜６１、パッキン、電極保持部材６５（上側電極板６２を備える）、パッキンを順に載置して、これらの上方から側部材５１の開口５１Ｂを備えた突出部を押圧固定することで、電解セル６０が形成される。さらに、開口５１Ｂの上方には、図１に表されているような複数の架橋構造が形成されたカバー部材６６が嵌めこまれて、上側電極板６２の上面が異物の落下による破損等から保護されるようになっている。
【００２９】
続いて、図３および図４を参照しつつ、飲水カップ５の据え置きについて説明する。
図４は、浄水ＰＷを保持した飲水カップ５を、ベースユニット１のカップ据置部３０に据え置く途中の状態を、図３は、飲水カップ５をカップ据置部３０に据え置いた後の状態を、それぞれ示している。図４に示すように、飲水カップ５のうち最も下方に突出した外周壁５６を、カップ据置部３０の嵌合部３４に位置合わせしながら、飲水カップ５をカップ据置部３０に上方から接近させる。外周壁５６が嵌合部３４内に嵌合挿入されると、接触端子３２Ｔ，３３Ｔが外方に弾性変形する。さらに飲水カップ５が押し込まれて外周壁５６の下端が嵌合部３４の底壁に当接すると、底部材５２の外面に露出している上側電極端子６２Ｔおよび下側電極端子６３Ｔに接続された状態で、飲水カップ５がカップ据置部３０にしっかりと保持され、ベースユニット１への据え置きが完了する。
【００３０】
続いて、図３および図４を参照しつつ、水の電解による機能水の生成について説明する。
機能水の生成は、図３に示すように、貯水槽４０内に所定の水位まで電解用水ＤＷを満たし、浄水ＰＷを含んだ飲水カップ５を据え置いた状態で行う。本実施形態では、カップ据置部３０に据え置かれた飲水カップ５の下側電極板６３が電解用水ＤＷにちょうど浸漬する水位を、「所定の水位」とする。ベースユニット１にＡＣアダプタ（ＤＣ電源）を接続し、運転制御スイッチ１１を操作して接触端子３２Ｔ，３３Ｔに直流電圧を加えると、上側電極板６２および下側電極板６３に電圧が印加され、飲水カップ５内の浄水ＰＷおよび電解槽部４２内の電解用水ＤＷが電気分解される。
【００３１】
ここで、上側電極端子６２Ｔに接続される接触端子３２Ｔが陰極、下側電極端子６３Ｔに接続される接触端子３３Ｔが陽極となるように直流電圧を印加すると、上側電極板６２では水素が発生し、これが飲水カップ５内の浄水ＰＷに溶解して、健康や美容に良いとされる水素豊富水が飲水カップ５内に生成される。この際、下側電極板６３で生成した酸素が溶けこむことで、電解槽部４２内には酸素・オゾン豊富水が生成される。酸素・オゾン豊富水は殺菌力を有するため、貯水槽４０等における雑菌の繁殖を抑制して、機能水生成装置Ｍ１を清潔に維持するのに役立つ。
【００３２】
逆に、上側電極端子６２Ｔに接続される接触端子３２Ｔが陽極、下側電極端子６３Ｔに接続される接触端子３３Ｔが陰極となるように直流電圧を印加すると、上側電極板６２では酸素が発生し、これが飲水カップ５内の浄水ＰＷに溶解して、酸素・オゾン豊富水が飲水カップ５内に生成される。このように生成した酸素・オゾン豊富水は、食器や各種機器等の洗浄や殺菌などの様々な用途に利用することができる。
また、電極材質、電気的制御方法を最適化することで、アルカリイオン水、還元水など、所望の機能水を生成することができる。
【００３３】
貯水槽４０内の電解用水ＤＷは、上記のような電気分解による消費や自然蒸発によって減少し、電解槽部４２内の水位は徐々に低下する。水位が低下すると、下側電極板６３が露出して、電気分解効率の低下および電解セル６０の損傷を招く虞がある。これを抑制するため、本実施形態における機能水生成装置Ｍ１は、電解槽部４２を含む貯水槽４０内を所定の水位に維持するための構成を備えている。
【００３４】
続いて、図３から図６を参照しつつ、貯水槽４０内を所定の水位に維持するための構成について説明する。
本実施形態では、図３等に示すように、電解槽部４２に水位センサ４５が取り付けられている。水位センサ４５は、図２に表されている表示部１２と接続されており、電解槽部４２内の水位が所定の水位よりも低下した場合に、表示部１２に給水表示が点灯するようにされている。なお、給水表示の点灯と同時に、警告音が発せられるように構成してもよい。
【００３５】
図３等に示すように、貯水槽４０の左側、受水槽部４１の上方には、電解用水ＤＷを保持するタンク２０が組み付けられている。タンク２０の底面は、一部が下方に突出するように形成されており、この下面に給水開口２１が設けられている。給水開口２１は、受水槽部４１内において、カップ据置部３０に据え置かれた飲水カップ５の下側電極板６３と同じ高さ、すなわち「所定の水位」に水平に配されるように、タンク２０の下面に付設された支持壁２４によって受水槽部４１内に支持されている。
【００３６】
さて、機能水生成装置Ｍ１は、給水を制御するための止水機構を備えている。止水機構は、具体的には、図３等に示すように、貫通棒２６およびコイルバネ２７が付設された弁体２５がタンク２０の給水開口２１（通水路の一部）に装着され、これを開放または閉止可能に構成されている。コイルバネ２７が貫通棒２６および弁体２５を下向きに付勢することにより、自然状態にあるときには、弁体２５が給水開口２１に上方すなわちタンク２０の内方から押し当てられ、これを水密に閉止するように設定されている。
【００３７】
一方、受水槽部４１の底面の一部には、蛇腹状に成形されて上方に伸長可能な防水性の弾性部材が水密に嵌めこまれ、伸縮凸部４９が形成されている。伸縮凸部４９の上端は、自然状態にある貫通棒２６下端に当接するように設定されている。ベースユニット１における貯水槽４０の底面下側には、長尺なアーム材７１が、電解槽部４２の底面下側に設けられた支点７２回りの回動可能に取り付けられている。アーム材７１は、図示しない作動バネにより、支点７２とは逆側の押圧端７４を上方に回動させる方向（図５における時計回り）に付勢され、押圧端７４が伸縮凸部４９を下方から押し上げ可能に配設されている。アーム材７１の中間部には、これと直接的もしくは間接的に当接する卵形の偏心カム７３が設けられている。偏心カム７３は、図５に表されている常態において、長径部分をアーム材７１に当接させるように設定されており、常態に復帰させる方向のみに有効なダンパ機能（遅延機能）を有している。偏心カム７３はまた、ベースユニット１の外面に設けられた前述の給水制御ダイヤル１３とも連結されている。
【００３８】
続いて、図５および図６を参照しつつ、上記の止水機構の作動について説明する。
図５に示すように、給水制御ダイヤル１３が操作されていない状態、すなわち常態では、偏心カム７３が長径部分においてアーム材７１の中間部に当接することにより、押圧端７４が下がった姿勢となっている。このような常態では、押圧端７４は伸縮凸部４９には接しておらず、コイルバネ２７で貫通棒２６が押し下げられて、弁体２５が給水開口２１を水密に閉止している（止水機構が閉状態）。
【００３９】
前述のように、給水表示が点灯した場合などに、手動で給水制御ダイヤル１３を反時計回り（図５における矢印方向）に回すと、偏心カム７３が短径部分においてアーム材７１に当接するように回転し、作動バネの付勢力によってアーム材７１が時計回りに回動して、持ち上げられたアーム材７１の押圧端７４が、伸縮凸部４９を伸長させつつ押し上げる。これにより、図６に示すように、伸縮凸部４９に当接していた貫通棒２６が、コイルバネ２７を圧縮しつつ押し上げられ、弁体２５も上方に移動して、給水開口２１が開放される（止水機構が開状態）。
給水開口２１が開放されると、タンク２０に保持されていた電解用水ＤＷが受水槽部４１内に流出し、流路４３で連通された電解槽部４２を満たす。そして、気圧給水機構により、貯水槽４０内の水位が上昇して所定の水位に達して給水開口２１が電解用水ＤＷの水面によって閉塞されると、気密に維持されたタンク２０内には大気が流入しなくなり、大気圧と水圧との均衡によって給水が停止される。
【００４０】
本実施形態において、偏心カム７３は、前述のように長径部分をアーム材７１に当接させた常態に復帰させる方向のみに働くダンパ機能を有しているため、給水制御ダイヤル１３を回した後に手を放すと、偏心カム７３はゆっくりと時計回りに回転して一定時間（例えば数秒間）後に常態の姿勢に戻る。この遅延時間の間、弁体２５は給水開口２１から離隔して給水開口２１が開放された状態に保たれるため、十分な量の電解用水ＤＷがタンク２０から受水槽部４１へと給水される。そして、上記の気圧給水機構により、貯水槽４０の所定の水位まで給水が行われた後に、偏心カム７３が長径部分においてアーム材７１に当接する常態に戻り、押圧端７４が下降して、伸縮凸部４９から離れる。すると、図５に表されているように、コイルバネ２７により弁体２５が給水開口２１に再び押し当てられて、これを閉止する（止水機構が閉状態）。なお、給水表示は、下記のように給水が行われて所定の水位を回復すると消灯する。
【００４１】
また、本実施形態において、タンク２０の上面には、補充開口２２が設けられ、この補充開口２２を封止可能な蓋２３が備えられている。蓋２３は、図示しないパッキン等を有して、タンク２０内が給水開口２１を除いて気密となるように、補充開口２２を封止可能に形成されている。蓋２３による封止が不完全となる事態を回避するため、タンク２０に図示しないセンサ等を取り付けて、蓋２３が完全に閉められていない状態が一定時間以上続いた時には警告表示が表示されたり、給水操作中にタンク２０内が気密に保たれていないことが検知された時には警告音が発せられたりするように構成してもよい。給水操作を行う際に、必ず蓋２３で補充開口２２が封止されているべきことに留意すれば、上記のような気圧給水機構により、適量の電解用水ＤＷを貯水槽４０に給水できる。
【００４２】
補充開口２２が設けられていることにより、タンク２０内の電解用水ＤＷが減少した時には、蓋２３を外して上方からタンク２０内に電解用水ＤＷを補充することができる。なお、タンク２０に図示しない水位センサ等を取り付けて、タンク２０内の電解用水ＤＷの水位が一定水位よりも低下した場合には、表示部１２に注水表示が点灯するように構成してもよい。上記のように、給水開口２１が弁体２５で閉止されている常態でタンク２０に電解用水ＤＷを補充すれば、蓋２３を空けてタンク２０の上部が大気開放されても、給水開口２１から貯水槽４０に向けて電解用水ＤＷが過剰に給水されて溢れることはない。
【００４３】
本実施形態による作用効果について説明する。
本実施形態によれば、必要に応じて弁体２５で給水開口２１を閉止することで、タンク２０から貯水槽４０への給水を、容易に規制することができる。弁体２５が給水開口２１を閉止した常態では、タンク２０内の気圧と水圧のバランスが崩れたとしても、貯水槽４０にタンク２０内の電解用水ＤＷが溢れ出すことがなくなるため、ベースユニット１に配されたタンク２０上部を大気開放することが可能となる。この結果、機能水生成装置Ｍ１使用時の利便性を飛躍的に高めることができる。例えば、機能水生成装置Ｍ１を移動する際など、貯水槽４０の水位が変動しやすい状況下では、給水開口２１を閉止しておくことで、貯水槽４０への電解用水ＤＷの過剰給水を抑制できる。また、後述のように、タンク２０を組付型としてベースユニット１に配したまま、タンク２０の上部を開放して電解用水ＤＷを補充することも可能となる。
【００４４】
本実施形態に係る機能水生成装置Ｍ１において、弁体２５は、遅延機能を有して前記通水路を閉止するように設けられている。よって、ベースユニット１に設けた給水制御ダイヤル１３を回転させた後、直ちに手を放しても、給水開口２１は一定時間開放状態に保持され、十分な給水を行うことができる（ワンショット作動）。
【００４５】
本実施形態に係る機能水生成装置Ｍ１は、常態では止水機構が閉状態となるように構成されているため、振動等による水位変動に基づく電解用水ＤＷの過剰給水を抑制できるとともに、機能水生成装置Ｍ１の移動を比較的自由に行うことができる。そして、必要時には、給水制御ダイヤル１３を回転操作することによって、弁体２５が間接的に押し上げられて給水開口２１を開放し、電解用水ＤＷが貯水槽４０内に給水し、電解セル６０に供給できる。なお、本実施形態では、電解槽部４２に水位センサ４５を設けて表示部１２に給水表示を表示することで、給水のタイミングが一目でわかるように構成されている。
【００４６】
本実施形態に係る機能水生成装置Ｍ１において、タンク２０の上部には、タンク２０への電解用水ＤＷの補充を行うための補充開口２２が設けられているとともに、補充開口２２を気密に封止する蓋２３が備えられ、補充開口２２からのタンク２０への電解用水ＤＷの補充が可能とされている。この結果、タンク２０をベースユニット１に組み付けて、装置の構成部品点数を削減し、管理の容易な組付型とすることができている。
【００４７】
＜第二実施形態＞
第二実施形態に係る機能水生成装置Ｍ２について、図７および図８に基づいて説明する。機能水生成装置Ｍ２は、基本的な構成および作用効果は第一実施形態に係る機能水生成装置Ｍ１と同様であり、常態における偏心カム２７３とアーム材７１との当接状態（アーム材７１の姿勢）のみが相違している。以下、第一実施形態と同様の部材には同じ符号を付して、説明を省略する（第三実施形態以下の説明でも同様とする）。
【００４８】
機能水生成装置Ｍ２は、常態において、図７に示すように、偏心カム２７３が短径部分においてアーム材７１に当接している。これにより、作動バネにより押圧端７４が持ち上がって伸縮凸部４９を押し上げており、コイルバネ２７が圧縮されて弁体２５が上方に移動する結果、給水開口２１が開放されている（止水機構が開状態）。よって、機能水生成装置Ｍ２の運転中、貯水槽４０内の水位が低下すると、すぐにタンク２０内部に保持された電解用水ＤＷが受水槽部４１内に流出し、流路４３で連通された電解槽部４２を満たす。そして、気圧給水機構により、貯水槽４０内の水位が上昇して給水開口２１が電解用水ＤＷの水面によって閉塞されると、気密に維持されたタンク２０内には大気が流入しなくなり、大気圧と水圧との均衡によって給水が停止され、貯水槽４０内が所定の水位に維持される。
【００４９】
タンク２０に保持された電解用水ＤＷが減少して補充が必要となった場合や、機能水生成装置Ｍ２を移動する場合などには、偏心カム２７３と連結された給水制御ダイヤル２１３を操作することにより、止水機構を図８に示すような閉状態にすることができる。具体的には、給水制御ダイヤル２１３を手動で時計回り（図７における矢印方向）に回すと、偏心カム２７３が長径部分においてアーム材７１に当接するように回転し、アーム材７１の押圧端７４が押し下げられる。これに伴い、コイルバネ２７の付勢力によって貫通棒２６が下降し、弁体２５が給水開口２１に押し当てられて、これを水密に閉止する（止水機構が閉状態）。
【００５０】
本実施形態に係る機能水生成装置Ｍ２では、偏心カム２７３のダンパ機能を調整して、給水制御ダイヤル２１３を回した後に手を放すと一定時間（例えば数十分間）後に短径部分をアーム材７１に当接させた常態に戻るように設定することができる。このようにすれば、タンク２０への電解用水ＤＷの補充や機能水生成装置Ｍ２の移動などを完了するのに十分な時間を経過した後に、機能水生成装置Ｍ２は常態に復帰して（止水機構が開状態）、気圧給水機構により貯水槽４０内が自動的に所定の水位に維持される。或いは、ダンパ機能等を利用せず、意図した作業を完了した後に、手動で給水制御ダイヤル２１３を閉止動作時とは反対方向に回転させ、止水機構を開状態にする構成としてもよい。
【００５１】
本実施形態によれば、常態において、弁体２５は給水開口２１を開放するように設けられており（止水機構が開状態）、貯水槽４０内の水位が低下すると自動的に電解用水ＤＷが供給され、電解セル６０が湿潤に保たれる。そして、必要に応じて給水制御ダイヤル２１３を操作し、弁体２５で給水開口２１を閉止してタンク２０から貯水槽４０への電解用水ＤＷの給水を停止することができる（止水機構が閉状態）。給水を停止した状態で機能水生成装置Ｍ２を移動すれば、水位変動による貯水槽４０への電解用水ＤＷの過剰な給水等を抑制できる。また、給水を停止した状態であれば、蓋２３を外して、タンク２０上部に設けた補充開口２２から電解用水ＤＷの補充等を行うことができる。
【００５２】
＜第三実施形態＞
第三実施形態に係る機能水生成装置Ｍ３について、図９から図１２に基づいて説明する。機能水生成装置Ｍ３は、第一実施形態に係る機能水生成装置Ｍ１と比較して、ベースユニット１に組み付けられたタンク２０の代わりに、ベースユニット３０１から着脱可能なボトル型のタンク３２０を備えるとともに、止水機構を開閉するための構成として、偏心カム７３等の代わりにギア３７７、ロータリーダンパ３７８等を備えている点において相違している。
【００５３】
図９は、機能水生成装置Ｍ３の平面図である。ベースユニット３０１は、上面視で略瓢箪型をなす形状に形成されており、受水槽部３４１、流路３４３および電解槽部３４２を含む貯水槽３４０並びにカップ据置部３３０は、第一実施形態に係る貯水槽４０並びにカップ据置部３０と異なった形状に形成されているが、基本的な構造および機能はこれらと同じである。また、機能水生成装置Ｍ３では、ベースユニット３０１の瓢箪型のくびれた部分（貯水槽の受水槽部３４１と電解槽部３４２との隔壁の内部）に、図示しない電源部が配されている。
【００５４】
図１０に示すように、ボトル状のタンク３２０は、ボトルネック部分を下にした姿勢で、ベースユニット３０１の受水槽部３４１上方に着脱可能に取り付けられる。タンク３２０において、ボトルネック部分の先端（ベースユニット３０１に取り付けられた姿勢では、下端面となる）には、円形の給水開口３２１が設けられ、ボトル底部（ベースユニット３０１に取り付けられた姿勢では、上端面となる）も開口されて、補充開口３２２が形成されている。補充開口３２２には、これを気密可能に封止できる蓋３２３が備えられている。また、受水槽部３４１の内側壁はタンク３２０の外周面に沿う寸法形状に形成されており、給水開口３２１の周囲には、環状に突出する位置決め突起３２４が設けられている。なお、位置決め突起３２４には間欠部分が形成されており、電解用水ＤＷを流通可能となっている。
【００５５】
タンク３２０は、受水槽部３４１の内側壁により水平方向に位置決めされ、位置決め突起３２４により垂直方向に位置決めされて、下端の給水開口３２１が水平に保たれる姿勢で受水槽部３４１内に支持される。ここで、給水開口３２１は、カップ据置部３３０に据え置かれた飲水カップ５の下側電極板６３と同じ高さ、すなわち「所定の水位」に設定支持される。よって、止水機構が後述するように開状態にあるときには、第一実施形態と同様の気圧給水機構により、貯水槽３４０内が所定の水位に自動的に維持されるようになっている。
【００５６】
本実施形態に係る機能水生成装置Ｍ３において、タンク３２０の給水開口３２１には、第一実施形態と同様の弁体２５、貫通棒２６、コイルバネ２７が装着され、給水開口３２１を、開放または水密に閉止可能に構成されている。また、受水槽部３４１の底面の一部には、蛇腹状に成形されて上方に伸長可能な防水性の弾性部材が水密に嵌めこまれ、伸縮凸部３４９が形成されている。第一実施形態の伸縮凸部４９と同じく、伸縮凸部３４９の上端は、自然状態にある貫通棒２６下端に当接するように設定されている。
【００５７】
図１０から図１２に表されているように、ベースユニット３０１における貯水槽３４０の底面下側には、アーム材３７１が取り付けられている。アーム材３７１は、第一実施形態のアーム材７１と類似の形態の長尺な部材であるが、長手方向略中央に位置する支点３７２回りに回動可能に取付けられている。アーム材３７１は、伸縮凸部３４９の下方に配される押圧端３７４とは反対側の操作端３７５に取り付けられた捻じりコイルバネ３７６により、常態において操作端３７５が持ち上げられた姿勢となるように保持されている。操作端３７５には、押し下げ可能な給水制御ボタン３１３が連結軸を介して連結されている。給水制御ボタン３１３は、図示しない復帰バネにより上方に付勢され、ベースユニット３０１の外面に設けられたスリット３１４の上端から突出するように設けられている。また、支点３７２の周囲にはギア３７７が嵌められ、これに嵌合するように、常態に復帰させる方向にのみ働くダンパ機能を備えたロータリーダンパ３７８が取り付けられている。
【００５８】
上記機構の作動について説明する。
図１１に示すように、給水制御ボタン３１３が押し下げられていない状態、すなわち常態では、アーム材３７１は捻じりコイルバネ３７６により押圧端３７４が下がった姿勢となっている。このような常態では、コイルバネ２７によって貫通棒２６が押し下げられて、弁体２５が給水開口３２１を水密に閉止している（止水機構が閉状態）。
【００５９】
第一実施形態と同様、給水表示が点灯した場合などに、手動で給水制御ボタン３１３をスリット３１４における下端に押し下げると、連結軸を介して操作端３７５が下降し、アーム材３７１が回動して、持ち上げられた押圧端３７４が伸縮凸部３４９を押し上げる。これにより、図１２に示すように、伸縮凸部３４９に当接していた貫通棒２６が、コイルバネ２７を圧縮しつつ押し上げられ、弁体２５も上方に移動して、給水開口３２１が開放される（止水機構が開状態）。
給水開口３２１が開放されると、タンク３２０に保持されていた電解用水ＤＷが受水槽部３４１内に流出可能となり、気圧給水機構によって貯水槽３４０内の所定の水位まで電解用水ＤＷが給水される。
【００６０】
本実施形態では、給水制御ボタン３１３を押し下げた後に手を放すと、給水制御ボタン３１３は復帰バネによってすぐに上方に復帰するが、アーム材３７１は、支点３７２の周囲に取り付けられたギア３７７およびロータリーダンパ３７８によってゆっくりと反時計回りに回動し、一定時間（例えば数秒間）後に常態の姿勢に戻る。第一実施形態と同様、この遅延時間の間、弁体２５は給水開口３２１から離隔して給水開口３２１が開放された状態に保たれるため、十分な量の電解用水ＤＷがタンク３２０から受水槽部３４１へと給水される。気圧給水機構により、貯水槽３４０の所定の水位まで給水が行われた後に、弁体２５が給水開口３２１に再び押し当てられて、これを閉止する（止水機構が閉状態）。
【００６１】
本実施形態によれば、ボトル型のタンク３２０がベースユニット３０１から着脱可能に取り付けられているため、タンク３２０を適宜取り外して、電解用水ＤＷを補充したり、貯水槽３４０の清掃などのメンテナンス作業を行ったりすることができる。さらに、タンク３２０の給水開口３２１を閉止可能な弁体２５が装着されているため、予め給水開口３２１を閉止すれば、タンク３２０の着脱作業を格段に容易行うことが可能とされている。また、タンク３２０は補充開口３２２および蓋３２３を備えているため、給水開口３２１を閉止すれば、蓋３２３を外してタンク３２０上部を開放し、ベースユニット３０１に取り付けたままでタンク３２０への電解用水ＤＷの補充を行うこともできる。
【００６２】
＜第四実施形態＞
第四実施形態に係る機能水生成装置Ｍ４について、図１３から図１４に基づいて説明する。機能水生成装置Ｍ４は、基本的な構成および作用効果は第三実施形態に係る機能水生成装置Ｍ３と同様であり、常態における捻じりコイルバネ４７６による操作端３７５の保持状態（アーム材３７１の姿勢）のみが相違している。
【００６３】
機能水生成装置Ｍ４では、常態において、図１３に示すように、アーム材３７１は、捻じりコイルバネ４７６により操作端３７５が下がった姿勢となるように保持される。  本実施形態に係る給水制御ボタン４１３は押し上げ式のボタンであり、図示しない復帰バネにより下方に付勢され、スリット３１４の下端から突出するように設けられている。
【００６４】
本実施形態では、図１３に示すように、給水制御ボタン４１３が押し上げられていない状態、すなわち常態では、アーム材３７１の押圧端３７４が持ち上げられて伸縮凸部３４９を押し上げている。これにより、貫通棒２６がコイルバネ２７を圧縮しつつ押し上げられ、弁体２５も上方に移動して、給水開口３２１が開放されている（止水機構が開状態）。よって、機能水生成装置Ｍ４の運転中、貯水槽３４０内の水位が低下すると、すぐにタンク３２０内部に保持された電解用水ＤＷが受水槽部３４１内に流出し、気圧給水機構により、貯水槽３４０内が所定の水位に維持される。
【００６５】
タンク３２０に保持された電解用水ＤＷが減少して補充が必要となった場合や、機能水生成装置Ｍ４を移動する場合などには、手動で給水制御ボタン４１３を操作することにより、止水機構を図１４に示すような閉状態にすることができる。具体的には、給水制御ボタン４１３を、スリット３１４における上端に押し上げる。すると、連結軸を介して操作端３７５が持ち上げられ、アーム材３７１が回動して押圧端３７４が下降し、伸縮凸部３４９から離れて、コイルバネ２７の付勢力により貫通棒２６および弁体２５が下降し、弁体２５が給水開口３２１を水密に閉止する（止水機構が閉状態）。
本実施形態に係る機能水生成装置Ｍ４でも、ギア３７７およびロータリーダンパ３７８のダンパ機能を利用して、給水制御ボタン４１３を操作した後、一定時間後に、自然に止水機構が開状態である常態に戻るように設定することができる。
【００６６】
本実施形態によれば、第三実施形態に記載した、タンク３２０を着脱可能としたことによる効果と、第二実施形態に記載した、常態で止水機構を開状態としたことによる効果とを、併せて得ることができる。
【００６７】
＜第五実施形態＞
第五実施形態に係る機能水生成装置Ｍ５について、図１５および図１６に基づいて説明する。機能水生成装置Ｍ５は、第一実施形態に係る機能水生成装置Ｍ１と比較して、給水開口２１に装着した弁体２５、貫通棒２６、コイルバネ２７の代わりに、流路４３を開放または閉止可能な自動開閉式の電磁弁５７０を備えている点において相違している。
【００６８】
図１５は、機能水生成装置Ｍ５の平面図、図１６は同断面図である。タンク２０の給水開口２１には、これを閉止するような構成を有していない一方、ベースユニット１の流路４３（通水路の一部）に電磁弁５７０が設けられ、流路４３を開放または閉止可能に構成されている。
電磁弁５７０は、図示しない制御部によって開閉制御され、制御部は、電解槽部４２に取り付けられた水位センサ４５とも接続されている。電磁弁５７０の制御態様は適宜選択することができる。例えば、機能水生成装置Ｍ５の運転中は、基本的に電磁弁５７０を閉じて流路４３が閉止されるように構成し、電解槽部４２内の水位が所定の水位よりも低下したことを水位センサ４５が検知すると、自動的に電磁弁５７０を開いて、気圧給水機構によって所定の水位が回復されるのに十分な一定時間、流路４３を開放するようにしてもよい。或いは、機能水生成装置Ｍ５の運転中は、基本的に電磁弁５７０を開いて流路４３を開放しておくように構成して、気圧給水機構によって貯水槽４０内を所定の水位に維持し、タンク２０への電解用水ＤＷ補充時など必要に応じて、ベースユニット１の外面に設けたスイッチ等により、電磁弁５７０を閉じて流路４３を閉止するようにしてもよい。
【００６９】
本実施形態によれば、自動制御可能な電磁弁５７０を備えて止水機構を構成することで、使用環境や使用状況等に併せて給水状態を調整することができる。
【００７０】
＜第六実施形態＞
第六実施形態に係る機能水生成装置Ｍ６について、図１７に基づいて説明する。機能水生成装置Ｍ６は、第五実施形態に係る機能水生成装置Ｍ５と比較して、ベースユニット１に組み付けられたタンク２０の代わりに、ベースユニット３０１から着脱可能なボトル型のタンク３２０を備えている点において相違している。換言すれば、第三実施形態に係る機能水生成装置Ｍ３または第四実施形態に係る機能水生成装置Ｍ４において、止水機構およびその制御機構として、自動制御可能な電磁弁５７０を適用したものである。
【００７１】
本実施形態によれば、第三実施形態等に記載した、タンク３２０を着脱可能としたことによる効果と、第五実施形態に記載した、自動制御可能な電磁弁５７０で止水機構を構成したことによる効果とを、併せて得ることができる。
【００７２】
＜その他の実施形態＞
本明細書によって開示される技術は、上記記述および図面によって説明した実施形態に限定されるものではなく、例えば次のような実施形態も技術的範囲に含まれる。
【００７３】
（１）止水機構は、実施形態に記載した構成のものに限定されず、周知の止水機構を適用することができる。また、通水路を開放または閉止するものであれば、配置も任意であり、例えば、タンク２０の給水開口に電磁弁を設けたり、流路４３にコイルバネ２７を付設した弁体２５を設けたりしてもよい。
【００７４】
（２）上記実施形態では、いずれも給水開口が水平に配されるものについて記載したが、これに限定されるものではない。機能水生成装置において、給水開口を傾斜するように配してもよく、また、タンクの側面に窓状に形成してもよい。また、給水開口の形状も円形に限らず、任意の形状とすることができる。
【００７５】
（３）気圧給水機構に係るタンクは、貯水槽内に配される給水開口を下部に備えているものであれば、任意の形状に形成し、自由に配置することができる。例えば、電解槽部の外周部を受水槽部として、カップ据置部を包囲するようにタンクを配設してもよい。給水部をカップ据置部の周りに設けることで、機能水生成装置を格段にコンパクト化できる。さらに、飲水カップを着脱するためのスペースを残しつつ、単数或いは複数のタンクをタワー状に配設すれば、飲水カップ据え置き時の支持壁としての機能を兼備させることができる。
【符号の説明】
【００７６】
１，３０１…ベースユニット
５…飲水カップ
１３、２１３…給水制御ダイヤル（操作部）
２０，３２０…タンク
２１，３２１…給水開口（通水路の一部）
２２，３２２…補充開口
２３，３２３…蓋
２５…弁体
２６…貫通棒
２７…コイルバネ
４０，３４０…貯水槽
４１，３４１…受水槽部
４２，３４２…電解槽部
４３，３４３…流路（通水路の一部）
４５…水位センサ
４９，３４９…伸縮凸部
６０…電解セル
６１…高分子イオン交換樹脂膜
６２…上側電極板
６３…下側電極板
７１，３７１…アーム材
７２，３７２…支点
７３，２７３…偏心カム
７４，３７４…押圧端
３１３，４１３…給水制御ボタン（操作部）
３７６，４７６…捻じりコイルバネ
３７７…ギア
３７８…ロータリーダンパ
５７０…電磁弁
ＤＷ…電解用水
ＰＷ…浄水
Ｍ１，Ｍ２，Ｍ３，Ｍ４，Ｍ５，Ｍ６…機能水生成装置
【図１】
2018027525.tif 000003
【図２】
2018027525.tif 000004
【図３】
2018027525.tif 000005
【図４】
2018027525.tif 000006
【図５】
2018027525.tif 000007
【図６】
2018027525.tif 000008
【図７】
2018027525.tif 000009
【図８】
2018027525.tif 000010
【図９】
2018027525.tif 000011
【図１０】
2018027525.tif 000012
【図１１】
2018027525.tif 000013
【図１２】
2018027525.tif 000014
【図１３】
2018027525.tif 000015
【図１４】
2018027525.tif 000016
【図１５】
2018027525.tif 000017
【図１６】
2018027525.tif 000018
【図１７】
2018027525.tif 000019